(57)【要約】【課題】トンネル工事の際に切羽付近に吹出口を設けることで平行流のエアカーテンの形成を提案する。【解決手段】送気用風管１は、トンネル坑内の上部側の横断方向略中央位置に前記トンネル坑の坑口から切羽方向に延在するように配置し、前記送気用風管の末端部分に短手断面に左右略対称な風管（以下、エアカーテン形成用風管５という）を延ばして、前記風管の上部方向吹出口２および下部方向吹出口３を有する。給気用送風機を稼働させることによって、トンネル坑外からの新鮮空気は、吸入口から送気用風管１内に吸引されて、前記送気用風管１の末端部分に設けられているエアカーテン形成用風管５を通して、上部方向吹出口２および下部方向吹出口３から略均等に吹出されて、エアカーテンを形成させることができる。【選択図】図１
2015034385.tif 000002
【特許請求の範囲】
【請求項１】
トンネル坑の切削工事中において、トンネル坑内を換気するための換気方法であって、送気用風管を前記トンネル坑内の上部側の横断方向略中央位置に、前記トンネル坑の坑口から切羽方向に延在するように配置し、前記送気用風管の末端部分に短手断面に左右略対称な風管を延ばして、前記風管の上下方向に吹出口を設けて、前記送気用風管を用いて、前記トンネル坑外から吸収した新鮮空気を前記左右略対称な風管から上下方向に吹出すことで、トンネル短手断面の上下方向に平行流のエアカーテンを形成することを特徴とする吹出口器具。
【請求項２】
前記送気用風管の末端部分から短手断面に左右略対称な風管に至る拡大部分は、流線形な形状であることを特徴とする請求項１記載の吹出口器具。
【請求項３】
前記送気用風管の末端部分から短手断面に左右略対称な風管に至る拡大部分の風管内部は、風量分配用ガイドを配置することを特徴とする請求項１及び請求項２記載の吹出口器具。
【発明の詳細な説明】
【技術分野】
【０００１】
本発明は、風管の先端に取り付けるトンネル短手断面に概ね平行流のエアカーテンを形成する吹出口である。トンネルの上部と下部に向かって吹出すスリッド状の吹出口を設けて、平行流のエアカーテンを形成する。
【背景技術】
【０００２】
従来のトンネル工事の際には、切羽付近において、掘削作業が行われ、多量の粉じんが発生する。粉じんがトンネル全体に拡散すると、作業環境が悪化し、作業員の健康を害することになってしまう。そのため、適切に換気計画を行うことは非常に重要なことである。
【０００３】
この課題を解決するための手段として、（例えば、特許文献１参照）送気空気をトンネル断面方向に吹出すことでエアカーテンを形成する方法がある。
このエアカーテン方式を用いることにより、切羽付近に粉じんを封じ込められる可能性がある。
この吹出口では、トンネル断面の中心の上部から環状に吹き出し、トンネル坑内の横断方向に放射状に吹き流れる。トンネル坑内には、坑内空間を切羽方向前方側と後方側とに仕切る空気の層が形成される。
【先行技術文献】
【特許文献】
【０００４】
【特許文献１】特開２００４−３３９７８０号公報
【発明の概要】
【発明が解決しようとする課題】
【０００５】
しかし、吹出口がトンネル断面の中心の上部に位置していることから、吹出気流の末端部分は、気流が拡散してしまい、エアカーテンの効果が弱まることが考えられる。
特に、トンネル断面の下部部分は、空気流が届きにくく、下部部分の粉じんを封じ込めができなく、漏えいして、粉じんがトンネル全体に拡散する可能性を有する。
【０００６】
本発明は、前記の問題点を解決するためになされたものであって、トンネル工事の際に切羽付近に吹出口を設けることで、トンネル短手断面に対して平行流のエアカーテンを形成することを提案することを課題とする。
【課題を解決するための手段】
【０００７】
請求項１に記載の発明は、トンネル坑の切削工事中において、トンネル坑内を換気するための換気方法であって、送気用風管を前記トンネル坑内の上部側の横断方向略中央位置に、前記トンネル抗の坑口から切羽方向に延在するように配置し、前記送気用風管の末端部分に短手断面に左右略対称な風管を延ばして、前記風管の上下方向に吹出口を設けて、前記送気用風管を用いて、前記トンネル坑外から吸収した新鮮空気を前記左右略対称な風管から上下方向に吹出すことで、上下の平行流のエアカーテンを形成することを特徴とする吹出口器具である。
【０００８】
請求項２に記載の発明は、前記送気用風管の末端部分から短手断面に左右略対称な風管に至る拡大部分は、流線形な形状であることを特徴とする吹出口器具である。
【０００９】
請求項３に記載の発明は、前記送気用風管の末端部分から短手断面に左右略対称な風管に至る拡大部分の風管内部は、風量分配用ガイドを配置することを特徴とする。
【発明の効果】
【００１０】
請求項１に記載の発明は、トンネル短手断面の上下方向に平行流のエアカーテンを形成することで切羽付近粉じんがトンネル全体に拡散することを防止し、作業環境が悪化し、作業員の健康を害することを防止することができる。
【００１１】
請求項２に記載の発明は、送気風管の末端部分から短手断面に左右略対称な風管に至る拡大部分を流線形にすることで、風管から気流を乱さないように滑らかにして、気流に抵抗が及ばないようにすることができる。
【００１２】
請求項３に記載の発明は、風量分配用ガイドを配置することにより、偏りのない風量を吹出口から吹き出すことができ、均等なエアカーテンを形成して、エアカーテンの気流を可能な限り遠方に到達できることで、エアカーテン効果をより発揮することができる。
【図面の簡単な説明】
【００１３】
【図１】本発明の実施形態に係るトンネル坑内に設置する吹出口器具の形状図である。
【図２】本発明の実施形態に係るトンネル坑内の平面図である。
【図３】本発明の実施形態に係るトンネル坑内の短手断面図である。
【図４】本発明の実施形態に係るトンネル坑内の長手断面図である。
【発明を実施するための形態】
【００１４】
本実施形態では、トンネル坑内の換気器具の実施の形態およびそれに用いる換気器具について、図面を用いて説明する。
図１〜図４は、切削工事中に係るトンネル坑内に設置する換気器具によるエアカーテンを形成することを示す。
送気用風管１は、トンネル坑内の上部側の横断方向略中央位置に前記トンネル坑の坑口から切羽方向に延在するように配置し、前記送気用風管の末端部分に短手断面に左右略対称な風管（以下、エアカーテン形成用風管５という）を延ばして、前記風管の上部方向吹出口２および下部方向吹出口３を有する。
【００１５】
送気用風管１には、吸入された新鮮空気をエアカーテン形成用風管５へと送風する給気用送風機（図示省略）が連結されている。
給気用送風機を稼働させることによって、トンネル坑外からの新鮮空気は、吸入口から送気用風管１内に吸引されて、前記送気用風管１の末端部分に設けられているエアカーテン形成用風管５を通して、上部方向吹出口２および下部方向吹出口３から略均等に吹出されて、エアカーテンを形成させることができる。
【００１６】
図１は、吹出口の形状が斜視的に記載されている。
給気用送風機を稼働させて、送風された新鮮空気を、送気用風管１を通じて流線形であるエアカーテン形成用風管５に沿って、上部方向吹出口２および下部方向吹出口３から新鮮空気が吹出される。
【００１７】
図２は、吹出口の形状が平面に記載されている。
エアカーテン形成用風管５の内部には、風量分配用ガイド４を配置することにより、偏りのない風量を吹出口から吹き出すことができる。
【００１８】
図３は、トンネル短手断面を記載している。エアカーテン形成用風管５から上下方向に平行流のエアカーテンが形成される模様が表している。
【００１９】
図４は、トンネル長手断面を記載している。
切羽付近の粉じんがエアカーテンにより、トンネル内全体に拡散することを防止することができる。
【符号の説明】
【００２０】
１  送気用風管
２  上部方向吹出口
３  下部方向吹出口
４  風量分配用ガイド
５  エアカーテン形成用風管
【図１】
2015034385.tif 000003
【図２】
2015034385.tif 000004
【図３】
2015034385.tif 000005
【図４】
2015034385.tif 000006